(57)【要約】【課題】安全キャビネットを用いた調剤作業における作業性の向上と、処方箋による薬剤汚染を防止することができる安全キャビネットおよび調剤システムを提供する。【解決手段】調剤システムの安全キャビネット１は、その作業空間２内の作業者を向くスクリーン１２が配置されている。このスクリーン１２には、プロジェクタ１４により、処方箋が投影されるようになっている。作業者は、作業空間２内で作業する自分の手の近傍にあるスクリーン１２に映し出された処方箋を見ながら作業を行える。これにより、視線を大きく動かすことなく、処方箋を見ながら調剤を効率的に行うことができる。【選択図】図１
2018000284.tif 000002
【特許請求の範囲】
【請求項１】
内部の作業空間の空気を吸い出して内部を陰圧にする吸引手段と、作業者が前記作業空間に手を入れて作業するための開口部と、作業空間内で作業者に向けて配置されるスクリーンと、前記スクリーンに映像を投影するプロジェクタとを備えることを特徴とする安全キャビネット。
【請求項２】
前記プロジェクタには、前記プロジェクタの外部から調剤用の処方箋のデータが入力され、前記プロジェクタが前記スクリーンに前記処方箋のデータを投影させることを特徴とする請求項１に記載の安全キャビネット。
【請求項３】
処理装置を備え、
前記処理装置に、前記プロジェクタに出力される前記処方箋のデータを記憶する処方箋記憶手段と、前記処方箋記憶手段から前記プロジェクタに前記処方箋のデータを出力して前記処方箋のデータを前記スクリーンに投影させる処方箋出力手段と、
作業者によるデータの入力を可能とする作業者入力手段とを備えることを特徴とする請求項２に記載の安全キャビネット。
【請求項４】
請求項３に記載の前記安全キャビネットを備える調剤システムであって、
前記安全キャビネットと、前記安全キャビネットの前記作業空間を撮影して画像データを前記処理装置に出力するカメラと、前記安全キャビネットに対して異なる場所に配置された外部処理装置と、前記外部処理装置に対してデータの入出力を行う外部入出力手段と、前記処理装置に対して前記外部処理装置を通信可能に接続する通信手段とを備え、
前記外部入出力手段により前記外部処理装置に入力された前記処方箋のデータを、前記通信手段を介して前記外部処理装置から前記処理装置に送信して前記プロジェクタに入力させて、前記処方箋のデータを前記スクリーンに投影可能とし、
前記カメラで撮影される前記作業空間の画像データを前記処理装置から前記通信手段を介して前記外部処理装置に入力させ、この画像データを前記外部入出力手段が有するモニタに表示させることを特徴とする調剤システム。
【発明の詳細な説明】
【技術分野】
【０００１】
本発明は、医療、再生医療、製薬などの産業分野において使用される安全キャビネットおよび調剤システムに関する。
【背景技術】
【０００２】
医薬品、特に、抗癌剤などのハイリスク薬の調剤等の作業において、薬剤師等の作業者がハイリスク薬に曝露されることによる影響が懸念されることから、調剤を専用の調剤室に設けられた安全キャビネットで行うことが知られている（例えば、特許文献１参照）。安全キャビネットは、その内部に作業用の開口部を除き準密閉状態の作業空間を形成するとともに、当該作業空間内の空気を吸引し、作業空間内を陰圧として、作業空間内の主に薬剤の蒸気や紛体を作業者側に流出させないようにするものである。安全キャビネット内で調剤を行うことで、作業者の安全性を向上することができる。
【０００３】
安全キャビネットを用いた調剤においては、当然、処方箋（レシピ）を見ながらの作業となる。例えば、抗癌剤の調剤では、取り扱う薬剤やその量により、患者に大きな影響があることから、当該薬剤の量等を正確に合わせて調剤する必要がある。そこで、調剤に際して、定められたチェックが行われる。また、調剤の実施者（作業者）と調剤の監査者による二重チェックなども行われている。
【０００４】
ここで、抗癌剤等のハイリスク薬の調剤手順では、例えば、最初に準備作業として、作業者等が個人防護具（白衣、マスク、キャップ、ゴーグル、手袋等）を装着する。
次いで、調剤の準備を行う。まず、安全キャビネットの準備を行い、処方箋に基づいて、安全キャビネット内に必要な器具や薬剤等を準備する。
【０００５】
次に、処方箋に従って調剤を行う。
例えば、「薬剤を溶解した溶解液を容器（バイアル）からシリンジを用いて処方箋に記載された量だけ量り取り、この溶解液を輸液バッグに注入する」作業がある。
まず、（ａ）容器（バイアル）に所定種・量の希釈液をシリンジによって容器（バイアル）に注入して、溶解希釈する。
次いで、（ｂ）上記の所定の希釈率で希釈された薬剤を、処方箋に基づいた量の分だけ、シリンジで量り取る。
次いで、（ｃ）上記の量り取った薬剤を輸液バッグに注入する。
上記の（ａ）、（ｂ）、（ｃ）の作業の各段階において、量り取った量が間違っていないか等、作業者と監査者による処方箋記載事項との二重確認が行われる。
これにより、安全キャビネットにおける調剤作業を終了し、調剤された薬剤を搬出する。
上記の作業の各段階の二重確認においては、作業実施者の薬剤師と監査者の双方が処方箋に捺印またはサインをすることになる。印やサインにより作業実施薬剤師と監査者が特定可能となる。
以上のような調剤手順により、作業者が薬剤に曝露されることを含む、調剤における問題の発生を抑止する。
【先行技術文献】
【特許文献】
【０００６】
【特許文献１】特開２０１１−８７９９９号公報
【発明の概要】
【発明が解決しようとする課題】
【０００７】
ところで、上述の調剤において、調剤作業およびそのチェックは、処方箋を用いて行われる。調剤作業中は、安全キャビネットのフレームに処方箋をマグネットで貼り付けた状態で作業者が処方箋を確認する。この場合に、安全キャビネットに近接した状態で調剤作業をしている作業者にとって、安全キャビネットの開口部のフレーム部分または開口部のシャッタ部分に留められた処方箋までの前後距離が短すぎて、処方箋が見難い状態となる。また、作業中の作業空間内を見る作業者の視線から作業空間より手前の処方箋を確認する作業者の視線までの視線の移動距離が長く、作業と処方箋の確認とを繰り返すような作業が難しくなる。以上のことから安全キャビネットにおいて、処方箋を見ながらの調剤の作業性が悪く、ミスの要因となる虞がある。
【０００８】
また、処方箋には、作業者がチェックや捺印等のために触ることになり、処方箋が調剤される薬剤に汚染される可能性は否定できない。また、安全キャビネット内で作業を行っているが、安全キャビネットへの器具や薬剤容器の出し入れが行われることから、調剤室が調剤される薬剤に対して、全く汚染されていないとは言い切れない。
【０００９】
従って、監査者が作業者と一緒に調剤室にいる場合に、薬剤汚染に対して、作業者だけではなく、監査者も十分に注意を払う必要がある。また、上述のように薬剤に汚染されている虞がある処方箋は、例えば、作業者が調剤を確認して捺印するとともに、監査者が確認して捺印することになる。さらに、処方箋は、事務員等により保管場所に運ばれて保管される。従って、監査者や事務員が処方箋を介して薬剤に曝される虞があるとともに、汚染された処方箋がそのまま所定期間保管されてしまい、二次的な薬剤汚染の要因となる。
【００１０】
本発明は、前記事情に鑑みてなされたもので、安全キャビネットを用いた調剤作業における作業性の向上と、処方箋による薬剤汚染を防止することができる安全キャビネットおよび調剤システムを提供することを目的としている。
【課題を解決するための手段】
【００１１】
前記目的を達成するために、本発明に係る安全キャビネットは、内部の作業空間の空気を吸い出して内部を陰圧にする吸引手段と、作業者が前記作業空間に手を入れて作業するための開口部と、作業空間内で作業者に向けて配置されるスクリーンと、前記スクリーンに映像を投影するプロジェクタとを備えることを特徴とする。
【００１２】
このような構成によれば、安全キャビネットでの作業を何等かの指示書等の書類に従って行う場合に、安全キャビネット内の作業空間に設けられたスクリーンに投影された書類の画像等のデータを見ながら作業することが可能となる。この場合に、スクリーンが、作業者が作業する作業空間内にあるので、作業時の視線と、スクリーンを見る際の視線とに大きな移動がなく、効率的にスクリーンに投影された指示内容に従って作業を行うことが可能となる。すなわち、書類を安全キャビネットのフレームにマグネットで留めた場合のように、書類を見るのに、作業空間から作業空間の手前まで視線をずらす必要がなく、さらに、書類との前後距離が短くて見難い状態となることがない。従って、作業中に例えば自分の手を見る視線をほとんど動かすことなく、スクリーンに投影された情報を見ることができる。これにより、視線をあまり動かすことなく、作業と指示の確認とを繰り返し行うことが可能となり、作業効率の向上と作業精度の向上を図ることができる。すなわち、作業中に直ぐに指示を確認できるので間違い難くなる。これにより、本発明は、処方箋を見ながらの調剤作業においても、作業効率の向上と、作業精度の向上を図ることができる。
【００１３】
本発明の前記構成において、前記プロジェクタには、前記プロジェクタの外部から調剤用の処方箋のデータが入力され、前記プロジェクタが前記スクリーンに前記処方箋のデータを投影させることが好ましい。
このような構成によれば、処方箋を見ながらの調剤作業の効率化を図ることができる。
【００１４】
また、本発明の前記構成において、処理装置を備え、
前記処理装置に、前記プロジェクタに出力される前記処方箋のデータを記憶する処方箋記憶手段と、前記処方箋記憶手段から前記プロジェクタに前記処方箋のデータを出力して前記処方箋のデータを前記スクリーンに投影させる処方箋出力手段と、
作業者によるデータの入力を可能とする作業者入力手段とを備えることが好ましい。
【００１５】
このような構成によれば、外部から入力された処方箋のデータをスクリーンに表示するので、安全キャビネットとでは、例えば、紙媒体からなる処方箋を必要とせず、処方箋を作業者が触ることがない。従って、作業者が触った処方箋により、薬剤汚染が拡がることを防止できる。さらに、処方箋がハイリスク薬に汚染されることがないので、処方箋に接触する人たちの安全性を向上することができる。また、調剤作業の際に処方箋通りに調剤を行ったことを示すサインや捺印等を必要とするような場合に、作業者入力手段により例えば認証等を可能とするデータを入力した後に、処方箋通り調剤を行い、それを確認したことを示すデータを入力することができる。このデータとは、捺印やサインに代るものであればよく、必ずしも写真等の証拠となるようなデータである必要はない。
【００１６】
本発明の調剤システムは、前記安全キャビネットを備える調剤システムであって、
前記安全キャビネットと、前記安全キャビネットの前記作業空間を撮影して画像データを前記処理装置に出力するカメラと、前記安全キャビネットに対して異なる場所に配置された外部処理装置と、前記外部処理装置に対してデータの入出力を行う外部入出力手段と、前記処理装置に対して前記外部処理装置を通信可能に接続する通信手段とを備え、
前記外部入出力手段により前記外部処理装置に入力された前記処方箋のデータを、前記通信手段を介して前記外部処理装置から前記処理装置に送信して前記プロジェクタに入力させて、前記処方箋のデータを前記スクリーンに投影可能とし、
前記カメラで撮影される前記作業空間の画像データを前記処理装置から前記通信手段を介して前記外部処理装置に入力させ、この画像データを前記外部入出力手段が有するモニタに表示させることを特徴とする。
【００１７】
このような構成によれば、監査者は、安全キャビネットとは、別の場所でモニタにより調剤作業を監査できるとともに、処方箋のデータを安全キャビネットの処理装置に送り、プロジェクタからスクリーンに投影することができる。従って、監査者がハイリスク薬に曝露されるのを防止することができる。すなわち、監査者は、ハイリスク薬に曝露されることなく、作業者による調剤をチェックすることが可能となる。
【発明の効果】
【００１８】
本発明によれば、処方箋に基づく調剤作業の作業効率の向上を図るとともに、処方箋がハイリスク薬の汚染の原因になるのを防止することができる。
【図面の簡単な説明】
【００１９】
【図１】本発明に係る安全キャビネットを備える調剤システムを示す概略図である。
【発明を実施するための形態】
【００２０】
以下、図面を参照して本発明の実施の形態について説明する。図１に示すように、安全キャビネット１は、内部に作業空間２を有する。また、安全キャビネット１は、作業空間２の前（作業者側）に設けられて、作業空間２に連通する開口部３と、この開口部３を開閉可能とするシャッタ４と、作業空間２から空気（気体）を吸引する吸引手段（図示略）とを備えている。
【００２１】
また、安全キャビネット１の前には、例えば、作業者が座る椅子１０が配置されている。また、安全キャビネット１の作業空間２は、例えば、下側の床面と、左右内側面と、上側の天井面と、作業空間２の奥で作業者に対向する後面とを有するが、この後面に処方箋４０のデータ等を投影するためのスクリーン１２を有する。スクリーン１２は、作業空間２の内部で、作業者に対向し、作業者に視認可能に配置されている。このスクリーン１２は、基本的に常時作業空間２内に配置されており、オゾン等のハイリスク薬の除染剤に対して耐性を有するものであり、オゾンによって酸化し難いものとなっている。
【００２２】
また、安全キャビネット１は、作業空間２の外部で、前記スクリーン１２に処方箋４０のデータ等を投影するプロジェクタ１４を備える。プロジェクタ１４は、スクリーン１２に映像を投影可能な位置に配置されるが真正面に配置される必要はなく、斜めに配置されていてもよい。この場合に投影された映像の形状に歪みが生じるが、プロジェクタ１４の補正機能により補正されている。
【００２３】
従って、プロジェクタ１４は、作業者の作業の邪魔になり難く、かつ、画像の投影に作業者の影が入り込み難い位置に配置される。また、作業中のシャッタ４に投影される画像が遮られないようにプロジェクタが配置される。シャッタ４が透明であっても、プロジェクタ１４が、シャッタ４が開放された部分から画像を投影するようになっていることが好ましい。また、この際にシャッタ４は、全開とはなっておらず、作業の邪魔にならない程度に一部だけ開放された状態である。
【００２４】
プロジェクタ１４を作業空間２の外部に配置することで、例えば、プロジェクタ１４が、除染のためのオゾンガス等の薬剤の影響を受けるのを防止できる。また、プロジェクタ１４がハイリスク薬に汚染されるのを防止できる。
また、安全キャビネット１には、作業空間２の外部に作業空間２の特に作業者が作業を行う部分を撮影するカメラ１６が設置されている。カメラ１６は、調剤作業を監査者が確認するためと、調剤作業の記録を残すために調剤作業を撮影するようになっている。作業者は、薬剤の容器のラベルや、シリンジで薬剤溶液を吸い取った際のシリンジの目盛や、薬剤の量が減ったり、空になったりした容器等がカメラ１６に撮影されるようにすることができる。カメラ１６は、撮影時に作業者やシャッタ４が作業空間２の撮影の邪魔に成り難い位置に配置される。カメラ１６を作業空間２の外側に配置することで、ハイリスク薬による汚染を防止するとともに、除染用のオゾン等の薬剤の影響を受けないようにすることができる。なお、プロジェクタ１４およびカメラ１６は、安全キャビネット１に取り付けられたものであるが、安全キャビネット１から分離しているものであってもよい。但し、カメラ１６およびプロジェクタ１４は、後述のように安全キャビネット１の処理装置２０に接続されている。
【００２５】
安全キャビネット１は、作業者が入力操作を行うための作業者入力手段を備える。作業者入力手段は、作業者を認証する作業者認証手段と作業者が調剤作業におけるチェック項目のチェックと捺印やサインに代るデータ入力を行う作業者確認手段を兼ねたものである。作業者入力手段は、例えば、安全キャビネット１の作業空間２の外側で、開口部３の近傍に設けられた操作パネル１８からなるもので、操作ボタンや、ポインティングデバイスや、キーボード等があってもよい。また、操作パネル１８は、作業者の認証用にパスワード入力が可能なキーボード、指紋等の生体認証が可能な生体認証装置、作業者が携帯するＩＣカートまたは磁気カードや、ＲＦタグカード等の各種カードの読取装置等を備えていてもよい。これらカードには、作業者の認証用のデータが記憶されている。
【００２６】
また、安全キャビネット１には、プロジェクタ１４、カメラ１６、操作パネル１８等が接続された処理装置２０が設けられている。なお、処理装置２０は、プロジェクタ１４やカメラ１６や、操作パネル１８に設けられていてもよい。また、処理装置２０は、単体である必要はなく、カメラ１６、プロジェクタ１４、操作パネル１８にそれぞれ設けられていてもよい。なお、処理装置２０が複数ある場合には、互いにデータの送受可能に接続されていることが好ましい。
【００２７】
さらに、処理装置２０には、通信手段２２が接続されており、通信手段２２を介して後述の外部処理装置２４が接続されている。通信手段２２は、例えば、ローカルエリアネットワークのイーサネット（登録商標）等であるが、有線であってもＷｉＦｉ等の無線であってもよい。通信手段２２は、処理装置２０と外部処理装置２４との間のデータの送受信を可能としている。
なお、上述のように処理装置２０が複数ある場合に、通信手段２２がこれら複数の処理装置２０の間のデータの送受を可能としてもよい。
【００２８】
ここで、安全キャビネット１やカメラ１６等は、調剤室４２に設けられているのに対して、外部処理装置２４は、調剤室４２とは、別の部屋である管理室４４に設けられている。なお、管理室４４は、調剤室４２と同じ建物にあってもよいし、別の建物にあってもよい。管理室４４には、監査者用のデスク３２と椅子３４が設置され、このデスク３２に、外部処理装置２４が配置されている。外部処理装置２４には、外部入出力手段として、モニタ２６、キーボード２８、スキャナやカメラ等の画像入力装置３０、ポインティングデバイス（図示略）等が接続されており、基本的に汎用的に使用可能なコンピュータシステムを構成している。
【００２９】
このような調剤システムにおいては、調剤作業に際して、調剤用の処方箋４０のデータを取り込む。ここでは、紙媒体として発行された処方箋４０を例えばカメラやスキャナ等の画像入力装置３０により取り込み、外部処理装置２４の記憶装置の処方箋記憶領域に患者の氏名、性別、年齢等を含む患者情報と、調剤される医薬品の名称等の薬剤情報とに関連付けて記憶されている。
この処方箋４０の画像データは、外部処理装置２４から通信手段２２を介して、処理装置２０に出力される。処理装置２０では、その記憶手段に、処方箋４０の画像データが外部処理装置２４の場合と同様に記憶される。また、処理装置２０は、記憶手段に記憶された処方箋４０の画像データをプロジェクタ１４に出力し、プロジェクタ１４がスクリーン１２に処方箋４０の画像データを投影して映し出すようになっている。
【００３０】
なお、処方箋４０は、現状で紙媒体であるが、電子化されたものであっても良く、電子化された処方箋４０は、例えば、テキストや書式等のデータからなり、このデータをテキスト等としてプロジェクタ１４からスクリーン１２に投影するものであってもよい。
【００３１】
また、調剤室４２のカメラ１６により撮影される安全キャビネット１の作業空間２の画像データは、処理装置２０に出力され、処理装置２０は、この画像データを、通信手段２２を介して外部処理装置２４に出力する。外部処理装置２４では、この画像データをモニタ２６に表示する。管理室４４の監査者は、モニタ２６に表示される画像により調剤作業を監査する。
【００３２】
紙媒体の処方箋４０を用いる場合に、紙媒体の処方箋４０が調剤室４２に持ち込まれることはなく、上述のようにデータだけが調剤室４２の安全キャビネット１のスクリーン１２に映し出される。調剤が終了する場合に、調剤室の作業者および管理室４４の監査者は、それぞれ処方箋４０に従って調剤が行われたことを確認する。この際に監査者の手元には、紙媒体の処方箋４０があり、確認した後に監査者が処方箋４０に捺印またはサインを行う。なお、調剤室４２にいる作業者が管理室４４にある処方箋４０に捺印またはサインを行うことは現実的ではない。ここでは、例えば、調剤室４２の安全キャビネット１の操作パネル１８に設けられた認証手段の、例えば、パスワード認証や、指紋等の生体認証の機能と、作業者による確認操作を受け付ける確認手段としての機能により、作業者による処方箋４０に基づく調剤が正常に行われたことが確認されたことを示すデータが処理装置２０に入力され、このデータが通信手段２２を介して外部処理装置２４に送信される。外部処理装置２４では、その外部入出力手段に自動捺印装置等の印字手段が設けられており、処方箋４０に作業者の印等のマーキングがなされた状態となる。この処方箋４０は薬剤に汚染されることなく、例えば処方箋保管場所に保管されることになる。
【００３３】
なお、処方箋４０が電子化されている場合には、正常に調剤が行われたことに対して、作業者が安全キャビネット１で上述のような認証と確認を行い、それらが処理装置２０で記憶され、監査者が管理室４４の外部処理装置２４で、作業者と同様に認証と確認を行い、それらが外部処理装置２４に記憶される。これらのデータは、何等かのストレージに記憶されて保管された状態となる。
【００３４】
このような安全キャビネット１を有する調剤システムにおいては、紙媒体の処方箋４０を用いる場合に、処方箋４０は、調剤が行われる安全キャビネット１がある調剤室４２に持ち込まれることなく、管理室４４で監査者に取り扱われている状態となる。この処方箋４０の画像データが画像入力装置３０に読み取られて外部処理装置２４に入力され、この処方箋４０の画像データが処理装置２０に送信され、この画像データが処理装置２０からプロジェクタ１４に出力されてスクリーン１２に投影される。
【００３５】
この状態で作業者は、スクリーン１２に投影された処方箋４０を見ながら調剤を行うことができる。この場合に、スクリーン１２は、安全キャビネット１の作業空間２の内部にあり、作業者との間にある程度の前後距離を確保することができる。すなわち、従来、安全キャビネット１のフレームに留められた紙媒体の処方箋４０は、安全キャビネット１のシャッタ４の前面（作業空間２の外）の位置に配置されており、シャッタ４の手前にシャッタ４に近接して坐っている作業者との前後距離を確保できず、処方箋４０が見難い状態となっていた。
【００３６】
本実施の形態においては、作業者が、作業中、作業空間２内に入れた自分の手に視線を合わせることが多いが、スクリーン１２が、作業空間２内の例えば奥側に配置されており、作業者との間に適切な前後距離があるとともに、視線をあまり動かさずに、自分の手とスクリーン１２とを見ることができる。従って、処方箋４０の記載と、自分の手で行われる調剤作業とを見比べるような状態で作業を行うことが可能であり、効率的に作業を行うことができるとともに、処方箋４０を確認するために作業中に作業から目を離すことが少なくなり、作業から目を離すことによるトラブルを避けることができる。また、作業空間２内でモニタを用いて処方箋４０を表示させた場合に、モニタがハイリスク薬に曝露されることになる。従って、モニタの故障時などに、モニタを作業空間２の外に出すとハイリスク薬を安全キャビネット１の外に持ち出すことになる。特に、モニタは、筐体内に各種装置が配置されており、モニタの筐体内を除染して安全キャビネット１の外に持ち出すことが難しい。それに対して、この実施の形態では、プロジェクタ１４が作業空間２の外にあり、ハイリスク薬に汚染されるのを防止できる。スクリーン１２には、基本的にシート状または板状のものを用いることができ、材質的に酸化等の問題がなければ、オゾンによる除染も可能である。また、スクリーン１２の内部にハイリスク薬が染み込まない材質のものを用いることも可能である。なお、スクリーン１２は、安全キャビネット１の作業空間２の後面であってもよく、後面にスクリーン１２用の塗装を施してもよい。
【００３７】
調剤作業において、作業者は紙媒体の処方箋４０を安全キャビネット１の作業空間２に入れたり、近付けたりすることがなく、さらに作業者が調剤作業を行った手で処方箋４０を触ることがないので、処方箋４０がハイリスク薬に汚染されることなく、処方箋４０を介して、関係者がハイリスク薬に曝露されるのを防止できる。
【００３８】
また、監査者は、安全キャビネット１が配置された調剤室４２とは別の部屋である管理室４４にいながら調剤作業を監査することが可能であり、安全キャビネット１に器具や薬剤容器を出し入れする調剤室で、監査者が薬剤に曝露されるのを防止することができる。
【００３９】
以上のように、実際に調剤作業を行う作業者以外の監査者等がハイリスク薬に曝露される危険を回避することが可能となり、かつ、作業者が従来に比較して処方箋４０が見易くなることで、作業に集中し易くなる。これにより、ハイリスク薬の取り扱いにおけるリスクの低減を図ることができる。なお、上述のように処方箋４０は、紙媒体のものに限られるものではなく、電子化されたものであってもよい。この場合に、デジタル的に認証や確認を行うことが可能であり、必ずしも捺印やサインを必要としない。紙媒体の処方箋４０を用いない場合も、基本的に、紙媒体の処方箋４０を用いる場合と同様に、スクリーンに処方箋４０が映し出され、作業者が処方箋４０に触れることがないので、処方箋４０が紙媒体の場合と同様の作用効果を得ることができる。
【符号の説明】
【００４０】
１  安全キャビネット
２  作業空間
３  開口部
４  シャッタ（開閉部材）
１２  スクリーン
１４  プロジェクタ
１８  カメラ
２０  処理装置
２２  通信手段
２４  外部処理装置
２６  モニタ
４０  処方箋
【図１】
2018000284.tif 000003